(57)【要約】      （修正有）【課題】バッテリーの健康状態をリアルタイムで監視する、情報提供の方法及び電動キャリアシステムを提供する。【解決手段】電動キャリアシステムは、電動キャリア装置２と、電力装置３と、モバイル装置４とを備える。電動キャリア装置２は、個別キャリア識別子と、キャリア情報とを記憶する。電力装置３は、電動キャリア装置２に電気エネルギーを提供するよう構成されると共に、参照キャリア識別子の組とバッテリー情報とを記憶する。モバイル装置４は、電動キャリア装置２及びサーバ５と通信可能で、電動キャリア装置２により、モバイル装置４と通信している際、キャリア情報及びバッテリー情報を含む統合情報をモバイル装置４に送信し、モバイル装置４はサーバ５と通信している際、統合情報をサーバ５に送信する。【選択図】図２
2020004369.tif 000002
【特許請求の範囲】
【請求項１】
電動キャリアシステムによって実行される、情報提供の方法であって、
前記電動キャリアシステムは、電動キャリア装置（２）と、電力供給装置（３）と、電子装置（４）とを備えており、
前記電動キャリア装置（２）は、個別キャリア識別子（２０１）と、該電動キャリア装置（２）に関するキャリア情報（２０２）とを記憶しており、
前記電力供給装置（３）は、前記電動キャリア装置（２）に電気エネルギーを提供するよう構成されると共に、参照キャリア識別子（３０１）の組と、該電力供給装置（３）に関するバッテリー情報（３０２）とを記憶しており、
前記電子装置（４）は、前記電動キャリア装置（２）及びサーバ（５）と通信可能であり、
該方法は、
前記電動キャリア装置（２）により、前記電子装置（４）が該電動キャリア装置（２）と通信している際、前記キャリア情報（２０２）及び前記バッテリー情報（３０２）を含む統合情報（３０３）を、該電子装置（４）に送信することと、
前記電子装置（４）により、該電子装置（４）が前記サーバ（５）と通信している際、前記統合情報（３０３）を前記サーバ（５）に送信することと、
を含んでいる、情報提供の方法。
【請求項２】
前記電子装置（４）により、該電子装置（４）が前記サーバ（５）と通信していない際、前記電動キャリア装置（２）から受信した前記統合情報（３０３）を記憶することを、更に含む、請求項１に記載の方法。
【請求項３】
前記統合情報（３０３）の前記電子装置（４）への送信は、前記電動キャリア装置（２）による、ブルートゥースプロトコルに基づく該電子装置（４）との通信を含む、請求項２に記載の方法。
【請求項４】
前記電動キャリア装置（２）により、該電動キャリア装置（２）に記憶される前記個別キャリア識別子（２０１）が、前記電力供給装置（３）内に記憶される前記参照キャリア識別子（３０１）の組における各前記参照キャリア識別子（３０１）のうちの１つと一致するか否かを判定し、そして前記個別キャリア識別子（２０１）が前記参照キャリア識別子（３０１）の組における各前記参照キャリア識別子（３０１）のうちの１つと一致すると判定した際、前記キャリア情報（２０２）を前記電力供給装置（３）に送信して、該電力供給装置（３）が、前記キャリア情報（２０２）及び該電力供給装置（３）内に記憶される前記バッテリー情報（３０２）を前記統合情報（３０３）として統合し、そして前記電動キャリア装置（２）に電力を提供することを可能とすることを更に含む請求項３に記載の方法。
【請求項５】
サーバ（５）と通信可能な電動キャリアシステムであって、電動キャリア装置（２）と、電力供給装置（３）と、電子装置（４）とを備えており、
前記電動キャリア装置（２）は、該電動キャリア装置（２）に関するキャリア情報（２０２）を記憶するよう構成されており、
前記電力供給装置（３）は、前記電動キャリア装置（２）に電気的に接続されると共に、該電力供給装置（３）と前記キャリア情報（２０２）とに関する統合情報（３０３）を記憶するよう構成されており、
前記電子装置（４）は、前記電動キャリア装置（２）とサーバ（５）と通信可能であり、
前記電子装置（４）が前記電動キャリア装置（２）と通信している際、前記電動キャリア装置（２）は、前記電力供給装置（３）に記憶される前記統合情報（３０３）を該電子装置（４）に送信し、そして
前記電子装置（４）が前記サーバ（５）と通信している際、前記統合情報（３０３）を前記サーバ（５）に送信する、電動キャリアシステム。
【請求項６】
前記電子装置（４）は、該電子装置（４）が前記サーバ（５）と通信していない際には、該電子装置（４）が前記サーバ（５）と通信するまで、前記統合情報（３０３）を記憶するよう構成されている、請求項５に記載の電動キャリアシステム。
【請求項７】
前記電子装置（４）は、ブルートゥースプロトコルに基づいて、前記電動キャリア装置（２）と通信するように構成されている、請求項６に記載の電動キャリアシステム。
【請求項８】
前記電動キャリア装置（２）は、固有の個別キャリア識別子（２０１）を更に記憶するよう構成されており、
前記電力供給装置（３）は、参照キャリア識別子（３０１）の組と、前記電力供給装置（３）に関するバッテリー情報（３０２）と、を更に記憶するよう構成されており、
前記電動キャリア装置（２）は、前記電力供給装置（３）が該電動キャリア装置（２）に設置されている際、前記個別キャリア識別子（２０１）が、該電力供給装置（３）に記憶される前記参照キャリア識別子（３０１）の組における各前記参照キャリア識別子（３０１）のうちの1つと一致するか否かを判定し、そして前記個別キャリア識別子（２０１）が前記参照キャリア識別子（３０１）の組における各前記参照キャリア識別子（３０１）のうちの1つと一致すると判定した際、前記キャリア情報（２０２）を前記電力供給装置（３）に送信して、前記電力供給装置（３）が、前記電動キャリア装置（２）により送信された前記キャリア情報（２０２）と、該電力供給装置（３）に記憶される前記バッテリー情報（３０２）とを前記統合情報（３０３）として統合させることを可能とするよう、構成されている、請求項７に記載の電動キャリアシステム。
【請求項９】
電動キャリアシステムによって実行される、情報提供の方法であって、
前記電動キャリアシステムは、電動キャリア装置（２）と、電力供給装置（３）とを備えており、
前記電動キャリア装置（２）は、該電動キャリア装置（２）に関するキャリア情報（２０２）とを記憶しており、
前記電力供給装置（３）は、前記電動キャリア装置（２）に電気的に接続されるよう構成されると共に、該電力供給装置（３）と前記キャリア情報（２０２）とに関する統合情報（３０３）を記憶しており、
前記電動キャリア装置（２）は、サーバ（５）と通信可能であり、
該方法は、
前記電動キャリア装置（２）により、該電動キャリア装置（２）が前記電力供給装置（３）に電気的に接続されている際、前記電動キャリア装置（２）と前記サーバ（５）との間の通信接続の状態を判定することと、
前記電動キャリア装置（２）により、該電動キャリア装置（２）によって該電動キャリア装置（２）が前記サーバ（５）に通信可能に接続されていると判定された際、前記統合情報（３０３）を前記サーバ（５）に送信することとを含む、情報提供の方法。
【請求項１０】
前記電動キャリア装置（２）により、該電動キャリア装置（２）に記憶される前記個別キャリア識別子（２０１）が、前記電力供給装置（３）に記憶される前記参照キャリア識別子（３０１）の組における各前記参照キャリア識別子（３０１）のうちの１つと一致するか否かを判定し、そして前記個別キャリア識別子（２０１）が前記参照キャリア識別子（３０１）の組における各前記参照キャリア識別子（３０１）のうちの１つと一致すると判定した際、前記キャリア情報（２０２）を前記電力供給装置（３）に送信して、該電力供給装置（３）が、該電力供給装置（３）内に記憶される前記キャリア情報（２０２）及び前記バッテリー情報（３０２）を前記統合情報（３０３）として統合し、そして前記電動キャリア装置（２）に電力を提供することを可能とする、請求項９に記載の方法。
【発明の詳細な説明】
【技術分野】
【０００１】
本発明は、情報提供の方法及び電動キャリアシステムに関し、特に電気自動車のための情報提供の方法、及び電気自動車を備える電動キャリアシステムに関する。
【背景技術】
【０００２】
従来、電動キャリア装置に搭載されたバッテリーは主に、該電動キャリア装置の定期メンテナンス中に検査が行われ、あるいは、台湾特許第Ｉ６１８０３３号のようなバッテリー交換所において、該バッテリーを満充電したバッテリーに取り替える際に検査が行われることになる。このため、前記バッテリーの健康状態は、リアルタイムで監視できず、したがってバッテリー故障のリスクが増えることになる。
【発明の概要】
【発明が解決しようとする課題】
【０００３】
そこで、本開示の目的は、従来技術の少なくとも１つの欠点を解消できる、情報提供の方法及び電動キャリアシステムを提供することにある。  
【課題を解決するための手段】
【０００４】
本開示の１つの態様によれば、前記電動キャリアシステムは、サーバと通信可能である。該電動キャリアシステムは、電動キャリア装置と、電力供給装置と、電子装置とを備えている。前記電動キャリア装置は、該電動キャリア装置に関する車両情報を記憶するよう構成されている。前記電力供給装置は、前記電動キャリア装置に電気的に接続されると共に、該電力供給装置と前記車両情報とに関する統合情報を記憶するよう構成されている。前記電子装置は、前記電動キャリア装置とサーバと通信可能である。前記電子装置が前記電動キャリア装置と通信している際、前記電動キャリア装置は、前記電力供給装置に記憶される前記統合情報を該電子装置に送信する。前記電子装置が前記サーバと通信している際、前記統合情報を前記サーバに送信する。
【０００５】
本開示の他の１つの態様によれば、前記方法は、前述の電動キャリアシステムによって実行される。前記電動キャリア装置は、個別キャリア識別子を更に記憶する。前記電力供給装置は、前記電動キャリア装置に電気エネルギーを提供するよう構成されると共に、参照キャリア識別子の組と、該電力供給装置に関するバッテリー情報とを記憶する。前記電子装置は、前記電動キャリア装置及びサーバと通信可能である。該方法は、
前記電動キャリア装置により、前記電子装置が該電動キャリア装置と通信している際、前記車両情報及び前記バッテリー情報を含む統合情報を、該電子装置に送信するステップと、
前記電子装置により、該電子装置が前記サーバと通信している際、前記統合情報を前記サーバに送信するステップと、を含んでいる。
【０００６】
本開示のまた他の１つの態様によれば、情報提供の方法は、前述の電動キャリアシステムの変化型によって実行される。前記電動キャリア装置は、前記サーバと直接通信可能であり、該方法は、
前記電動キャリア装置により、該電動キャリア装置が前記電力供給装置に電気的に接続されている際、前記電動キャリア装置と前記サーバとの間の通信接続の状態を判定するステップと、
前記電動キャリア装置により、該電動キャリア装置によって該電動キャリア装置が前記サーバに通信可能に接続されていると判定された際、前記統合情報を前記サーバに送信するステップと、を含んでいる。
【０００７】
本発明の他の特徴および利点は、添付の図面を参照する以下の実施形態の詳細な説明において明白になるであろう。
【図面の簡単な説明】
【０００８】
【図１】本開示に係る、情報提供の方法の第１の実施形態を図示するフローチャートである。
【図２】本開示に係る、情報提供の方法の第１の実施形態に使われる、電動キャリアシステムの実施形態を図示するブロック図である。
【図３】本開示に係る、情報提供の方法の第２の実施形態を図示するフローチャートである。
【図４】本開示に係る、情報提供の方法の第２の実施形態に使われる、電動キャリアシステムの変形態様を図示するブロック図である。
【発明を実施するための形態】
【０００９】
本発明をより詳細に説明する前に、適切と考えられる場合において、符号又は符号の末端部は、同様の特性を有し得る対応の又は類似の要素を示すために各図面間で繰り返し用いられることに留意されたい。
【００１０】
図２を参照すると、電動キャリアシステムの実施形態が図示されている。該電動キャリアシステムは、本開示に係る情報提供の方法の実行に使われることで、電動キャリア装置のユーザ、バッテリー開発者、または装置供給者が、電動キャリア装置や該電動キャリア装置に搭載されるバッテリーの状態に関する情報にアクセスできるようになる。
【００１１】
前記電動キャリアシステムは、サーバ５と通信可能である。該電動キャリアシステムは、電動キャリア装置２と、電力供給装置３と、電子装置４とを備えている。
【００１２】
電動キャリア装置２は、該電動キャリア装置２に関するキャリア情報２０２と、固有の個別キャリア識別子２０１と、を記憶するよう構成されている。本実施形態において、電動キャリア装置２は電気自動車（Ｅｌｅｃｔｒｉｃ  Ｖｅｈｉｃｌｅ、ＥＶ）として実施されているが、該電動キャリア装置２の実施は本実施形態に制限されず、他の実施形態において変更されてもよい。また、本実施形態において、個別キャリア識別子２０１は、車両制御ユニット（Ｖｅｈｉｃｌｅ  Ｃｏｎｔｒｏｌ  Ｕｎｉｔ、ＶＣＵ）の番号として実施されているが、その実施は本実施形態に制限されず、他の実施形態において変更されてもよい。
【００１３】
本実施形態において、電動キャリア装置２は、車体２１と、車体２１に設置されるインテリジェントインストルメントクラスタ装置２２と、を具えている。インテリジェントインストルメントクラスタ装置２２は、個別キャリア識別子２０１及びキャリア情報２０２を記憶するキャリアマイクロコントローラ２２１と、電子装置４と無線通信可能な無線通信モジュール２２２と、を具えている。本実施形態において、無線通信モジュール２２２は、ブルートゥース通信モジュールとして実施されているが、該無線通信モジュール２２２の実施は本実施形態に制限されず、他の実施形態において変更されてもよい。なお、キャリアマイクロコントローラ２２１は、電動キャリア装置２の走行距離、運転時間、瞬時速度や最大速度に関する情報を記録して、キャリア情報２０２にするよう構成されている。
【００１４】
電力供給装置３は、電動キャリア装置２に電気的に接続されると共に、該電動キャリア装置２に電気エネルギーを提供するよう構成されている。電力供給装置３は、参照キャリア識別子３０１の組と、該電力供給装置３に関するバッテリー情報３０２と、前記バッテリー情報３０２及びキャリア情報２０２を統合することで得られる統合情報３０３と、を記憶するよう更に構成されている。参照キャリア識別子３０１の組における各参照キャリア識別子３０１はそれぞれ、１台の電動キャリア装置の車体に対応する。
【００１５】
具体的に言うと、電力供給装置３は、電動キャリア装置２に電気エネルギーを提供するよう構成されたバッテリー３１と、バッテリー３１に電気的に接続され、且つ参照キャリア識別子３０１の組及びバッテリー情報３０２を記憶するよう構成されるバッテリーマイクロコントローラ３２と、を具えている。バッテリー情報３０２は、バッテリー３１の放電履歴に基づいて取得され且つバッテリー３１の残存電気エネルギーに関する情報、バッテリー３１の総合使用時間、バッテリー３１の残存耐用寿命、バッテリー３１の使用量に対応する走行距離やバッテリー３１の平均稼動温度とに関する情報を含む。本実施形態において、バッテリーマイクロコントローラ３２は、バッテリー管理システム（Ｂａｔｔｅｒｙ  Ｍａｎａｇｅｍｅｎｔ  Ｓｙｓｔｅｍ、ＢＭＳ）として実施されているが、該バッテリーマイクロコントローラ３２の実施は本実施形態に制限されず、他の実施形態において変更されてもよい。
【００１６】
電子装置４は、前記電動キャリアシステムの開発者により開発されたアプリケーションソフトウェアがインストールされていて、電動キャリア装置２とサーバ５と通信してデータ伝送ができる。本実施形態において、電子装置４は、スマートフォンまたはタブレットなどのモバイル装置として実施されているが、該電子装置４の実施は本実施形態に制限されず、他の実施形態において変更されてもよい。電子装置４は、ブルートゥースプロトコルに基づいて、電動キャリア装置２の無線通信モジュール２２２と通信するよう操作されることで、電動キャリア装置２とペアリングされて該電動キャリア装置２からデータを受信するよう構成されている。電子装置４は、電動キャリア装置のユーザ、バッテリー開発者、もしくは装置供給者に所有され得るが、電子装置４の所有者は本実施形態に制限されず、他の実施形態において変更されてもよい。
【００１７】
サーバ５は、電子装置４と通信して、該電子装置４が送信するデータを受信、記憶、そして処理するよう構成されている。本実施形態において、サーバ５は、パソコンまたはクラウドサーバとして実施され、そしてＷｉＦｉ技術、ブルートゥースプロトコル、もしくは光ファイバー通信に基づいて電子装置４と通信可能になっているが、該サーバ５の実施は本実施形態に制限されず、他の実施形態において変更されてもよい。
【００１８】
図１を参照すると、本開示に係る、情報提供の方法の第１の実施形態が図示されている。該情報提供の方法は、前述の電動キャリアシステムによって実行されるものである。該方法は、後述のステップ１１〜ステップ１３を含む。
【００１９】
ステップ１１において、バッテリー３１が電気的に車体２１に接続されている際、電動キャリア装置２は、該電動キャリア装置２内に記憶されている個別キャリア識別子２０１が、参照キャリア識別子３０１の組における各参照キャリア識別子３０１のうちの１つと一致するか否かを判定するよう、構成されている。そして電動キャリア装置２は、個別キャリア識別子２０１が参照キャリア識別子３０１の組における各前記参照キャリア識別子３０１のうちの１つと一致すると判定した際、キャリア情報２０２を電力供給装置３に送信して、該電力供給装置３が、電動キャリア装置２に送信されるキャリア情報２０２、及び、該電力供給装置３内に記憶されているバッテリー情報３０２を統合情報３０３として統合することを可能にするよう、構成されている。具体的に言うと、電力供給装置３が電動キャリア装置２に設置され、そしてそのバッテリー３１が車体２１に電気的に接続されている際、該電動キャリア装置２のインテリジェントインストルメントクラスタ装置２２のキャリアマイクロコントローラ２２１は、該電力供給装置３に記憶されている参照キャリア識別子３０１の組にアクセスすると共に、該電動キャリア装置２に記憶されている個別キャリア識別子２０１が、該電力供給装置３に記憶されている参照キャリア識別子３０１の組における各前記参照キャリア識別子３０１のうちの１つと一致するか否かを判定する。キャリアマイクロコントローラ２２１により、個別キャリア識別子２０１が参照キャリア識別子３０１の組における各前記参照キャリア識別子３０１のうちの１つと一致すると判定された際、該キャリアマイクロコントローラ２２１は、信号伝送の信頼度を向上させるコントローラエリアネットワーク（ｃｏｎｔｒｏｌｌｅｒ  ａｒｅａ  ｎｅｔｗｏｒｋ、ＣＡＮ）を介して、キャリア情報２０２を電力供給装置３のバッテリーマイクロコントローラ３２に送信して、該バッテリーマイクロコントローラ３２が、受信したキャリア情報２０２、及び、該電力供給装置３内に記憶されているバッテリー情報３０２を統合情報３０３として統合して、該統合情報３０３を記憶することを可能にする。更に、バッテリーマイクロコントローラ３２は、バッテリー３１を制御して前記電気エネルギーを電動キャリア装置２の車体２１に提供することを可能にする。
【００２０】
ステップ１２において、電子装置４が電動キャリア装置２と通信している際には、該電動キャリア装置２は、電力供給装置３に記憶されている統合情報３０３を電子装置４に送信する。具体的に言うと、電子装置４がブルートゥースプロトコルに基づいて電動キャリア装置２の無線通信モジュール２２２と通信し、そして該無線通信モジュール２２２とのペアリングが成功した際には、該電動キャリア装置２の無線通信モジュール２２２は、バッテリーマイクロコントローラ３２内に記憶されている統合情報３０３をロードし、そして無線通信モジュール２２２を介して該統合情報３０３を電子装置４に送信する。
【００２１】
ステップ１３において、電子装置４がサーバ５と通信している際、該電子装置４は統合情報３０３をサーバ５に送信する。電子装置４は、サーバ５と通信していない際には、該電子装置４が前記サーバ５と通信するまで、統合情報３０３を記憶するよう構成されている。具体的に言うと、電動キャリア装置２から統合情報３０３を受信した後、電子装置４がサーバ５と通信しているか否かを判定する。そして電子装置４により、該電子装置４がサーバ５と通信していると判定された際には、該電子装置４は、統合情報３０３をサーバ５に送信すると共に、該サーバ５が統合情報３０３を記憶することを可能にする。また、電子装置４により、該電子装置４がサーバ５と通信していないと判定された際には、該電子装置４は電動キャリア装置２から受信した統合情報３０３を電子装置４により該電子装置４がサーバ５と通信していると判定されるまで記憶することになり、そして電子装置４が前記サーバ５と通信していると判定されたら、この時に該電子装置４は統合情報３０３をサーバ５に送信し、該サーバ５が統合情報３０３を記憶することを可能にする。
【００２２】
更に、電子装置４は、該電子装置４にインストールされた前記アプリケーションソフトウェアの設定に基づいて、統合情報３０３を表示するよう構成されてもよい。このため、電動キャリア装置のユーザ、開発者、または装置供給者は、便利にサーバ５内に記憶されている統合情報３０３にアクセスして、電動キャリア装置２及び電力供給装置３の状態を随時に監視することができる。このように、ユーザは、より迅速に電動キャリア装置２及び電力供給装置３の状態に対応でき、そして開発者、または装置供給者は、統合情報３０３に基づいて製品の品質を改良することができる。更に、該電子装置４にインストールされた前記アプリケーションソフトウェアは、電動キャリア装置２及び電力供給装置３の状態を、自動的にユーザに通知して、該ユーザが、電動キャリア装置２または電力供給装置３に対する定期メンテナンスを行うか否かを決定することができるよう、設計されてもよい。
【００２３】
図３を参照すると、前記情報提供の方法の第２の実施形態が図示されている。本開示に係る該方法の第２の実施形態は、図４に示される前記電動キャリアシステムの変形態様によって実施されるものである。
【００２４】
図４に示されるよう、該電動キャリアシステムの変形態様は、前述の図２に示される実施形態に類似するが、該変形態様の電動キャリア装置２が、無線通信モジュール２２２を介してサーバ５と直接に通信する点で異なっている。具体的に言うと、本実施形態において、電動キャリア装置２のインテリジェントインストルメントクラスタ装置２２は、ＷｉＦｉ技術、ブルートゥースプロトコル、または光ファイバー通信に基づき、無線通信モジュール２２２を介してサーバ５と直接に通信するよう構成されているが、この通信の実施態様は本開示に制限されず、他の実施形態において変更されてもよい。
【００２５】
図３に示されているように、前記方法の第２の実施形態は、ステップ１１′〜ステップ１３′を含む。該方法の第２の実施形態におけるステップ１１′は、本開示に係る該方法の第１の実施形態におけるステップ１１に類似するので、簡潔のため、第１の実施形態におけるステップ１２とステップ１３とは異なる、ステップ１２′とステップ１３′のみについて説明する。
【００２６】
ステップ１２′において、電動キャリア装置２が電力供給装置３に電気的に接続され、且つ電力供給装置３がステップ１１′（ステップ１１と同様）で取得した統合情報３０３を記憶している際には、電動キャリア装置２は、該電動キャリア装置２とサーバ５との間の通信接続の状態を判定する。具体的に言うと、本実施形態において、バッテリーマイクロコントローラ３２がバッテリー３１を制御して電気エネルギーを車体２１に供給する際、キャリアマイクロコントローラ２２１は、無線通信モジュール２２２を制御してサーバ５と通信し、該電動キャリア装置２とサーバ５との間の通信接続の状態を判定する。
【００２７】
ステップ１３′において、電動キャリア装置２により、該電動キャリア装置２がサーバ５に通信可能に接続されていると判定された際、電動キャリア装置２は、統合情報３０３をサーバ５に送信する。具体的に言うと、本実施形態において、キャリアマイクロコントローラ２２１が、無線通信モジュール２２２がサーバ５と通信していると判定した際、該キャリアマイクロコントローラ２２１は、バッテリーマイクロコントローラ３２内に記憶されている統合情報３０３をロードし、そして無線通信モジュール２２２で統合情報３０３をサーバ５に送信して、サーバ５が該統合情報３０３を記憶することを可能にする。
【００２８】
同様に、電動キャリア装置のユーザ、開発者、または装置供給者は、便利にサーバ５内に記憶されている統合情報３０３にアクセスし、電動キャリア装置２及び電力供給装置３の状態を随時に監視することができる。このように、定期メンテナンス中、あるいはバッテリー交換所でのバッテリー交換時にのみ、そのバッテリーの状態を検査できるという不便は、改善することができる。
【００２９】
総括すると、本開示によれば、情報提供の方法は、サーバ５と通信可能な電動キャリアシステムによって実行されるものである。キャリア情報２０２及びバッテリー情報３０２を含む統合情報３０３は初めから、前記電動キャリアシステムの電力供給装置３内に記憶され、それから電子装置４を介してサーバ５に、または直接サーバ５に送信される。統合情報３０３がサーバ５内に記憶されているので、サーバ５へアクセスすることで、電動キャリア装置２及び電力供給装置３の状態を便利に随時検査することができる。
【００３０】
上記においては、本発明の全体的な理解を促すべく、多くの具体的な詳細が示された。しかしながら、当業者であれば、一またはそれ以上の他の実施形態が具体的な詳細を示さなくとも実施され得ることが明らかである。また、本明細書における「一つの実施形態」「一実施形態」を示す説明において、序数などの表示を伴う説明は全て、特定の態様、構造、特徴を有する本発明の具体的な実施に含まれ得るものであることと理解されたい。更に、本説明において、時には複数の変化例が一つの実施形態、図面、またはこれらの説明に組み込まれているが、これは本説明を合理化させるためのもので、また、本発明の多面性が理解されることを目的としたものであり、また、一実施形態における一またはそれ以上の特徴あるいは特定の具体例は、適切な場合には、本開示の実施において、他の実施形態における一またはそれ以上の特徴あるいは特定の具体例と共に実施され得る。
【００３１】
以上、本発明の好ましい実施形態及び変化例を説明したが、本発明はこれらに限定されるものではなく、最も広い解釈の精神および範囲内に含まれる様々な構成として、全ての修飾および均等な構成を包含するものとする。
【図１】
2020004369.tif 000003
【図２】
2020004369.tif 000004
【図３】
2020004369.tif 000005
【図４】
2020004369.tif 000006
【外国語明細書】
2020004369000001.pdf